(57)【特許請求の範囲】
【請求項１】
発音タイミングを入力するタイミング入力手段を有するボディ部と、音高を決定する音高決定手段を有する棹部とから成り、前記タイミング入力手段により入力された発音タイミング及び前記音高決定手段により決定された音高に基づいて楽音を発生するように構成されたギター型の電子楽器において、
前記棹部を該棹部の基端部を介して前記ボディ部に対して曲折自在に連結し、
前記ボディ部の裏側に、前記棹部を収容可能な凹部を設け、
使用時には、前記棹部を前記基端部から前記ボディ部の反対側に向かって延びた状態にすることができる一方、非使用時には、前記棹部を前記基端部で前記ボディ部の前記裏側に曲折させて前記凹部に収容することができるように構成され、
前記ボディ部に、可動式のロックバーを設けると共に、前記棹部に、前記ロックバーが嵌合可能な溝部を設け、前記棹部が前記基端部から前記ボディ部の反対側に向かって延びた状態で、前記ロックバーを動かして前記溝部に嵌合させると、前記棹部の前記延びた状態が維持されるように構成されたことを特徴とする電子楽器。
【発明の詳細な説明】
【０００１】
【発明の属する技術の分野】
本発明は、ギター型の電子楽器に関する。
【０００２】
【従来の技術】
従来、発音タイミングを入力するタイミング入力手段と音高を決定する音高決定手段とを有し、入力、決定された発音タイミング及び音高に基づいて電子的に楽音を発生するようにしたギター型の電子楽器が知られている。この楽器では例えば、タイミング入力手段が、弦に対応する部分に押しボタンや疑似弦のような形態でボディ部に備えられると共に、スイッチ等で構成された音高決定手段が棹部に備えられる。従って、タイミング入力手段及び音高決定手段がそれぞれ、通常のギターにおける撥弦部及びフレット部に近い配置となっていることで、ギターと同様の態様での演奏を可能としている。
【０００３】
【発明が解決しようとする課題】
しかしながら、上記従来のギター型の電子楽器では、通常のギターに近似した外観構成をとっており、ボディ部からは長い棹部が延設されるため、棹部がかさばって楽器全長が長くなってしまう。そのため、使用時はともかく、運搬時や収納時の不便さは通常のギターと同様で、その不利な点をそのまま引き継いでいた。一方、電子楽器として構成する場合は、設計に自由度があり、例えば弦をボディ部から棹の自由端部にまで張ることは必ずしも必要とされないことから、運搬時や収納時の不便さを解消する上で改善の余地があった。
【０００４】
本発明は上記従来技術の問題を解決するためになされたものであり、その目的は、良好な演奏を確保しつつ必要に応じて楽器全体をコンパクトにすることができる電子楽器を提供することにある。
【０００５】
【課題を解決するための手段】
上記目的を達成するために本発明の請求項１の電子楽器は、発音タイミングを入力するタイミング入力手段を有するボディ部と、音高を決定する音高決定手段を有する棹部とから成り、前記タイミング入力手段により入力された発音タイミング及び前記音高決定手段により決定された音高に基づいて楽音を発生するように構成されたギター型の電子楽器において、前記棹部を該棹部の基端部を介して前記ボディ部に対して曲折自在に連結し、前記ボディ部の裏側に、前記棹部を収容可能な凹部を設け、使用時には、前記棹部を前記基端部から前記ボディ部の反対側に向かって延びた状態にすることができる一方、非使用時には、前記棹部を前記基端部で前記ボディ部の前記裏側に曲折させて前記凹部に収容することができるように構成され、前記ボディ部に、可動式のロックバーを設けると共に、前記棹部に、前記ロックバーが嵌合可能な溝部を設け、前記棹部が前記基端部から前記ボディ部の反対側に向かって延びた状態で、前記ロックバーを動かして前記溝部に嵌合させると、前記棹部の前記延びた状態が維持されるように構成されたことを特徴とする。
【０００６】
この構成により、棹部は、該棹部の基端部を介してボディ部に対して曲折自在に連結される。使用時には、前記棹部が前記基端部から前記ボディ部の反対側に向かって延びるような状態にして演奏を可能にする一方、非使用時には、前記棹部が前記基端部で前記ボディ部側に曲折した状態にすることができる。これにより、使用時には通常のギターと同様にボディ部から棹部が延設された状態で演奏することができる一方、使用しないときは棹部をボディ部側に折曲し、棹部がかさばらないようにして運搬や収納等を容易にすることができる。よって、良好な演奏を確保しつつ必要に応じて楽器全体をコンパクトにすることができる。
【０００７】
【発明の実施の形態】
以下、本発明の実施の形態を図面を参照して説明する。
【０００８】
図１、図２は、本発明の一実施の形態に係る電子楽器の外観斜視図である。図１は、演奏するときの状態（表面側）を示し、図２は、折り畳んだ状態（裏面側）を示す。本楽器はギター型に形成され、ギター音を電子的に発生するようにした電子楽器である。
【０００９】
本楽器は、ボディ部１及び棹部２から成る。ボディ部１には、撥弦部３及び第２音高決定部４Ｂが設けられ、棹部２には第１音高決定部４Ａが設けられる。撥弦部３は、６本の弦部材３１（タイミング入力手段）及びスピーカ部５から成る。図示はしないが、ピエゾ素子等で構成されるセンサ部がボディ部１に備えられ、弦部材３１が撥弦されると、上記センサ部がそれを検出し、弦部材３１毎に発音タイミングを示すトリガ信号を出力する。
【００１０】
第１音高決定部４Ａ及び第２音高決定部４Ｂはいずれも、複数のフレットスイッチ１２（音高決定手段）で構成される。各フレットスイッチ１２は、ギターでいうフレット間に相当する位置に設けられ、弦の本数に対応して各フレット間領域に６個ずつ並列配置される。ここで、例えば、図１に示す「ＦＲ」が１つのフレット間領域である。なお、本楽器では、第１音高決定部４Ａにフレット間領域が１２個となるように設定されており、第１音高決定部４Ａで１２音階の設定を最低限可能としている。従って、第１音高決定部４Ａにはフレットスイッチ１２が６×１２＝７２個配設されている。
【００１１】
フレットスイッチ１２は、棹部２の内側方向（第２音高決定部４Ｂではボディ部１の内側方向）に押し込み可能なプッシュ式のスイッチとなっており、さらに押し込み解除後には、下方に設けた不図示の弾性体によって元の非押下位置に復帰するようになっている。図示はしないが、棹部２内部には、可動式接点スイッチが設けられており、該接点スイッチは各フレットスイッチ１２の押下動作を検出する。この接点スイッチによる検出信号は、各弦部材３１に対応する音高を各々規定する音高指示信号として出力される。
【００１２】
また、本楽器には不図示の音源部が設けられており、図１に示す状態でアコースティックギターと同じような態様で演奏することで、上記発音タイミングを示すトリガ信号と音高指示信号とに従って、ギター音等の楽音がスピーカ部５から発音されるようになっている。
【００１３】
後述するように、棹部２はボディ部１に対し、基端部７にて回動自在に構成されている。演奏をしない収納時には、図２に示すようにボディ部１の裏側に棹部２が曲折し、楽器全体がコンパクトになるようになっている。
【００１４】
図３は、本楽器の部分分解斜視図である。同図では特に、棹部２とボディ部１との連結部分を示している。図４は、図１のＡ−Ａ線に沿う断面図である。図４（ａ）は演奏時（図１に対応）、図４（ｂ）は収納時（図２に対応）の状態をそれぞれ示す。
【００１５】
棹部２の基端部７は棹部２と一体に形成されている。基端部７は、棹部２の長手方向に沿う断面が略円状に形成され、略１／４円弧の部分で棹部２とつながっている（図３、図４）。棹部２の基端部７には、軸貫通用穴８が設けられる（図３）。軸貫通用穴８は、弦部材３１の並び方向に沿って基端部７を貫通している（図３）。ボディ部１には、開口部３０が設けられる。開口部３０は、棹部２の基端部７に対して嵌合的な形状に形成されており、その弦並び方向の幅は基端部７の幅とほぼ同じで、且つ基端部７の外径と同じ大きさの円弧を有する凹部３０ａを有する（図４）。
【００１６】
図３に示すように、ボディ部１には、穴６及び穴６と同軸の軸受け穴６ａが設けられている。穴６及び軸受け穴６ａは左右対称に形成されている。穴６及び軸受け穴６ａの軸心は弦部材３１の並び方向に沿って開口部３０を通る。穴６には不図示のネジ溝が切ってある。
【００１７】
棹部２をボディ部１に組み付ける際には、基端部７を開口部３０に嵌合させ、軸貫通用穴８と軸受け穴６ａとの軸心を合致させる。そして、金属製の軸棒２１を穴６から挿入し、反対側の穴６の近傍まで挿通させる。その後、両側の穴６にカバー部材２２、２３を螺嵌することで、棹部２がボディ部１に連結される。棹部２がボディ部１に連結された状態では、棹部２は、軸棒２１を中心として図４の時計方向及び反時計方向に回動自在になる。その回動範囲は、図４（ａ）に示す状態から図４（ｂ）に示す状態までであり、ほぼ１８０度である。
【００１８】
図４に示すように、ボディ部１の裏側には、収容用凹部１ａが設けられている。収容用凹部１ａは、棹部２がちょうど嵌合するような幅、深さ及び長さに形成されており、棹部２を収容用凹部１ａに収容すると、ボディ部１の裏面と棹部２の表面（フレットスイッチ１２側）とがほぼ面一となる（図２、図４（ｂ）参照）。棹部２をボディ部１側に折曲することで、非使用時には楽器全長が短くなるだけでなく、棹部２が収容用凹部１ａに収容されることで、楽器全体が一層コンパクトになる。
【００１９】
ボディ部１の収容用凹部１ａには、係止部１４が設けられている（図２、図４）。係止部１４は、収容用凹部１ａの後部（図４（ａ）において棹部２から遠い側）に金属等の弾性材で構成される。係止部１４には、爪１５が一体に形成されている。一方、棹部２には、係止穴１３が設けられている（図１、図４）。棹部２を回動させて収容用凹部１ａに収容すると、図４（ｂ）に示すように係止穴１３が爪１５に係止され、爪１５が棹部２の抜け止めの機能を果たす。棹部２を収容用凹部１ａから取り出すときは、弾性を利用して係止部１４を後部側に押して爪１５による係止穴１３の係止を解除すればよい。
【００２０】
ボディ部１の第２音高決定部４Ｂはボディ部１から外側にやや突出している（図１、図３、図４）。演奏時には、図４（ａ）に示すように、棹部２が基端部７からボディ部１の反対側に向かって延びたような状態とされるが、その際、第１音高決定部４Ａと第２音高決定部４Ｂとはほぼ面一となる（図１、図４（ａ））。
【００２１】
ボディ部１にはまた、図３に示すように、コネクタ部３２が設けられている。コネクタ部３２は、第１音高決定部４Ａと第２音高決定部４Ｂとの間において、ボディ部１の棹部２側の端面１ｂに設けられる。なお、棹部２のボディ部１側の端面２ａにもコネクタ部３２に接続可能な不図示のコネクタ部が設けられている。演奏時に棹部２を図４（ａ）に示す状態にしたとき、ボディ部１の端面１ｂと棹部２の端面２ａとが当接すると共に、ボディ部１側のコネクタ部３２と棹部２のコネクタ部とが接続されるようになっている。両コネクタ部が接続されることで、棹部２のフレットスイッチ１２がボディ部１側に対して電気的に接続可能になっている。
【００２２】
図３に示すように、ボディ部１にはさらに、ロックバー１０が設けられ、棹部２にはロックバー用溝９が設けられている。
【００２３】
図５は、これらロックバー１０及びロックバー用溝９の部分外観斜視図である。
【００２４】
ロックバー用溝９は、棹部２の幅方向の左右両側面に、端面２ａから長手方向に沿って形成されている（図３、図５）。図５に示すように、ロックバー用溝９の底面９ａには突起部１１が突設されている。
【００２５】
一方、ロックバー１０は、ボディ部１の第２音高決定部４Ｂにおける幅方向の左右両側面に設けられ、棹部２の長手方向にスライド自在に構成されている。ロックバー１０は、棹部２の長手方向に延びる本体部１０ａと把手１０ｂとから成る（図５）。本体部１０ａは断面が凸状（矩形に鍔部を設けたような形状）であり、ロックバー用溝９に対して嵌合的な形状を成す。本体部１０ａの下面には、ロックバー用溝９の突起部１１が嵌合する凹部（図示せず）が設けられている。
【００２６】
演奏時は、棹部２を回動させて図４（ａ）に示す状態にし、ロックバー１０をスライドさせてロックバー用溝９に挿通嵌合させる。このとき、図５に示す位置ＰＴ（ロックバー１０の長手方向におけるほぼ真ん中）を境として、ロックバー１０の本体部１０ａ側が棹部２のロックバー用溝９に嵌入され、ロックバー１０の把手１０ｂ側がボディ部１に残る。これにより、棹部２がボディ部１に対してロックされ、回動が規制されて、支障なく演奏が行えるようになる。なお、ロックバー１０の本体部１０ａの上記凹部にロックバー用溝９の突起部１１が嵌合して、演奏時におけるロックバー１０の抜けが防止される。
【００２７】
本実施の形態によれば、棹部２を基端部７を介してボディ部１に対して回動自在に連結し、棹部２を回動させることで、演奏時には、ギターの形態と同様に棹部２が基端部７からボディ部１の反対側に向かって延びたような状態にして演奏を可能にすることができる。一方、非使用時には、棹部２が基端部７でボディ部１側に曲折した状態にすることができる。従って、使用時には通常のギターと同様にボディ部１から棹部２が延設された状態で演奏することができる一方、使用しないときは棹部２をボディ部１側に折曲し、棹部２がかさばらないようにして運搬や収納等を容易にすることができる。よって、良好な演奏を確保しつつ必要に応じて楽器全体をコンパクトにすることができる。
【００２８】
なお、本実施の形態において、弦部材３１の撥弦操作の検出機構及びフレットスイッチ１２の押下操作の検出機構は例示したものに限るものではない。また、棹部２のボディ部１との連結は、棹部２がボディ部１に対して曲折可能で、棹部２を延設状態したとき演奏に支障がなく、且つボディ部１側に折曲したとき楽器全体がコンパクトになればよく、例示した連結機構に限定されるものではない。また、ボディ部１の収容用凹部１ａに棹部２が収まる構成も必須ではなく、例えば、単にボディ部１側に折曲されるだけでもコンパクト化のメリットは得られる。
【００２９】
【発明の効果】
以上説明したように、本発明の請求項１に係る電子楽器によれば、良好な演奏を確保しつつ必要に応じて楽器全体をコンパクトにすることができる。
【図面の簡単な説明】
【図１】  本発明の一実施の形態に係る電子楽器の外観斜視図（演奏するときの状態）である。
【図２】  同形態に係る電子楽器の外観斜視図（折り畳んだ状態）である。
【図３】  本楽器の部分分解斜視図である。
【図４】  図１のＡ−Ａ線に沿う断面図である（演奏時（同図（ａ））、収納時（同図（ｂ）））。
【図５】  ロックバー及びロックバー用溝の部分外観斜視図である。
【符号の説明】
１  ボディ部、  １ａ  収容用凹部、  ２  棹部、  ３  撥弦部、  ４Ａ  第１音高決定部、  ４Ｂ  第２音高決定部、  ５  スピーカ部、  ６ａ  軸受け穴、  ７  基端部、  ８  軸貫通用穴、  ９  ロックバー用溝、  １０  ロックバー、  １２  フレットスイッチ（音高決定手段）、  ２１  軸棒、  ３１  弦部材（タイミング入力手段）
【図１】
0003846200.tif 000002
【図２】
0003846200.tif 000003
【図３】
0003846200.tif 000004
【図４】
0003846200.tif 000005
【図５】
0003846200.tif 000006